(57)【要約】【課題】  従来の電気コードとコンセントプラグ及びソケットでは電気コードを持続的に回転させるとコードがねじれてしまい漏電したり破断していた課題を解決するものである。【解決手段】  本発明は、固定ソケットやコンセントプラグなどの電源から電気コードプラグで配線において電気エネルギーを確保して電気使用機器の回転でコードのねじれが生じていたことや、その逆で回転する電気発電機器の電源から電気エネルギーを取り出す配線コードのねじれが生じていたことを防止しするコードやコンセントプラグ及びソケットを３６０度回転することにより漏電や破断を防止する電気コードとコンセントプラグ及びソケットである。【選択図】  図１
2009117090.tif 000002
【特許請求の範囲】
【請求項１】
３６０度回転電気コードとコンセントプラグ及びソケットにおいて、固定又は持続的回転できない電気コードとコンセントプラグ及びソケットの各電極ごとに伝導体金属材ベアリングを施して各電極ごとに接続したプラグで固定又は持続的回転できない電気コードとコンセントプラグ及びソケットを３６０度回転できる形態を特徴とする、３６０度回転電気コードとコンセントプラグ及びソケットである。
【請求項２】
３６０度回転電気コードとコンセントプラグ及びソケットにおいて、固定又は持続的回転できない電気コードとコンセントプラグ及びソケットの各電極ごとに伝導体金属材円板を施して各電極ごとに回転スライド接触させて伝導接続したプラグで固定又は持続的回転できない電気コードとコンセントプラグ及びソケットを３６０度回転できる形態を特徴とする、３６０度回転電気コードとコンセントプラグ及びソケットである。
【請求項３】
また、３６０度回転電気コードとコンセントプラグ及びソケットの固定又は持続的回転ができない電気コードとコンセントプラグ及びソケットと３６０度回転する電気コードとコンセントプラグ及びソケットの絶縁した保護外殻カバーに回転をスムースに行う絶縁ベアリングを施した形態を特徴する、請求項1又は2の３６０度回転電気コードとコンセントプラグ及びソケットである。
【発明の詳細な説明】
【技術分野】
【０００１】
従来の電気コードとコンセントプラグ及びソケットにおける３６０度回転に関するものである。
【背景技術】
【０００２】
従来の電気コードとコンセントプラグ及びソケットでは電気コードを持続的に回転させるとコードがねじれてしまい漏電したり破断していた。
【０００３】
また、ソケットやコンセントにおいては、方向回転を３６０度出来る物があるがコードやコンセントプラグ自体３６０度ねじり回転する物が無かった。
【０００４】
【特許文献１】特開２００５−２８５３９３
【特許文献２】特開２００６−１４７４２４
【発明の開示】
【発明が解決しようとする課題】
【０００５】
従来の電気コードやコンセントプラグ及びソケットにおけるねじれを３６０度回転で課題を解決するものである。
【課題を解決するための手段】
【０００６】
本発明の目的を達成するために、電気コードやコンセントプラグ及びソケットに３６０度回転できるコードやコンセントプラグ及びソケットを施すことによりコードのねじれを解決するものである。
【発明の効果】
【０００７】
本発明の効果については、電気コードのねじれを解決することにより漏電や破断を防止する効果がある。
【０００８】
また、固定ソケットやコンセントプラグなどの電源から電気コードプラグで配線において電気エネルギーを確保して電気使用機器の回転でコードのねじれが生じていたことや、その逆で回転する電気発電機器の電源から電気エネルギーを取り出す配線コードのねじれが生じていたことを防止しするコードやコンセントプラグ及びソケットを３６０度回転することにより漏電や破断を防止する効果がある。
【発明を実施するための最良の形態】
【０００９】
以下、本発明の実施形態を図１〜図５に基づいて説明をする。
【００１０】
図１においては、２電極芯のコードやコンセントプラグを３６０度回転できるように施した図１で、その２電極芯を各電極ごとに伝導体金属材ベアリング７・８・９・１０と伝導体金属材ベアリング１４・１５・１６・１７を施すことにより３６０度回転を促して接続したコードやコンセントプラグのねじれ防止を施した形態である。
【００１１】
さらに、各電極ごとに伝導体金属材ベアリング７・８・９・１０・１４・１５・１６・１７の潤滑は発火性のない伝導性のある液体を施した形態及び潤滑液を使用しない形態である。
【００１２】
図２においては、図１の３６０度回転を促して接続したコードにコンセントプラグ２７・２８・２９を施した形態である。
【００１３】
図３においては、アース極を他に取った単電極芯を図１で示した３６０度回転を促した伝導金属材ベアリング１４・１５・１６・１７を施したコードプラグの形態である。
【００１４】
図４においては、単電極芯円板をバネで押し３６０度回転スライド接触させて接続を施したプラグコンセントの形態である。
【００１５】
図５においては、単電極芯円板をバネで押し３６０度回転ベアリング接触させて接続を施したプラグコンセントの形態である。
【００１６】
図６においては、図５の単電極芯を３電極芯に置き換えたプラグで各電極ドーナツ円板をバネで押し３６０度回転ベアリング接触させて接続を施したコンセントプラグの形態である。
【図面の簡単な説明】
【００１７】
【図１】３６０度回転ベアリングの２極芯を施したコードとコンセントプラグ
【図２】３６０度回転ベアリングの2極芯を施したコードとコンセントプラグ及び            ソケット
【図３】３６０度回転ベアリングの１極芯を施したコードとコンセントプラグ
【図４】３６０度回転スライド接触の１極芯コードとコンセントプラグ
【図５】３６０度回転ベアリング接触の１極芯コードとコンセントプラグ
【図６】３６０度回転ベアリング接触の３極芯コードとコンセントプラグ
【符号の説明】
【００１８】
１  １電極伝導線
２  １電極伝導線保護絶縁パイプコード
３  ２電極伝導線
４  ２電極伝導線保護絶縁パイプコード
５  電極コードとコンセントプラグ絶縁保護カバー
６  電極コードとコンセントプラグ絶縁カバーの固定絶縁パット
７  ２電極伝導材金属ベアリング外殻
８  ２電極伝導材金属ベアリング内伝導円すいころ
９  ２電極伝導材金属ベアリング内伝導円ころ
１０  ２電極伝導材金属ベアリング内郭
１１  ２電極線と伝導材金属ベアリング内郭を固定する伝導材金属板
１２  ２電極伝導材金属板
１３  ２電極伝導材金属板絶縁保護パット
１４  １電極伝導材金属ベアリング外殻
１５  １電極伝導材金属ベアリング内伝導円ころ
１６  １電極伝導材金属ベアリング内伝導円すいころ
１７  １電極伝導材金属ベアリング内郭
１８  １電極線と伝導材金属ベアリングを固定する伝導材金属板
１９  １電極伝導材金属板
２０  ２電極伝導材金属板絶縁保護固定パット
２１  ２電極伝導線絶縁パイプコード
２２  電極コードとコンセントプラグ絶縁カバー回転絶縁ベアリング
２３  電極コードとコンセントプラグ絶縁カバー回転絶縁ベアリング円すいころ
２４  ２電極伝導線
２５  １電極伝導コード絶縁パイプコード
２６  １電極伝導線
２７  ２電極伝導線とソケット伝導板の固定ネジ又は溶接接着
２８  差込コンセントプラグ
２９  差込コンセントプラグカバー
３０  ベアリング
３１  １電極伝導線
３２  １電極伝導コード絶縁パイプコード
３３  １電極伝導コード固定絶縁カバー
３４  コンセントプラグ回転ころ
３５  コンセントプラグ外殻カバー
３６  １電極伝導回転接触円板プラグ
３７  ベアリング
３８  １電極伝導回転接触円板プラグの接触方向矢印
３９  １電極伝導回転接触円板プラグの接触押し上げバネ
４０  １電極伝導コード固定絶縁カバー固定ネジ
４１  バネ移動１電極伝導線
４２  バネ移動１電極伝導線カバー
４３  バネ移動１電極伝導線の移動のため余裕巻き上げ１電極伝導線
４４  単極コンセントプラグを３電極芯に置き換えたコンセントプラグ図
【図１】
2009117090.tif 000003
【図２】
2009117090.tif 000004
【図３】
2009117090.tif 000005
【図４】
2009117090.tif 000006
【図５】
2009117090.tif 000007
【図６】
2009117090.tif 000008